(57)【要約】【課題】どこでも手軽に簡単に画面制御システムを使用できるようにする。【解決手段】複数台のタブレットＰＣ１０を画面制御サーバ２によって一つの画面１として機能させる。その画面制御サーバ２は、画面１に表示させる表示データ２１１と、画面１を構成するタブレットＰＣ１０の台数を示す端末数と、各タブレットＰＣ１０を識別する端末ＩＤと画面１における配置位置を示す情報とを保持する会議データ２１と、表示データ２１１による全体画像の表示データを端末数に応じて分割して、各分割表示データを生成する手段と、各タブレットＰＣ１０にその各配置位置に対応する分割表示データを送信する手段とを有する。一方、各タブレットＰＣ１０は、自己の端末ＩＤを画面制御サーバ２へ送信する手段と、画面制御サーバ２から送信される分割表示データを受信して画面表示部にそれを表示させる手段とを有する。【選択図】    図１
2014178659.tif 000002
【特許請求の範囲】
【請求項１】
複数台の情報処理端末と、該複数台の情報処理端末を一つの画面を表示する画面表示装置として機能させるための画面制御装置とを備えた画面制御システムであって、
前記画面制御装置は、
前記複数台の情報処理端末を用いて表示するための表示データと、前記画面を構成する情報処理端末の台数を示す端末数と、その各情報処理端末を識別する端末識別情報と、該各情報処理端末の前記画面における配置位置を示す情報とを保持する保持手段と、
前記表示データを前記端末数に応じて分割した分割表示データを生成する生成手段と、
前記複数台の各情報処理端末に、それぞれ前記各配置位置に対応する前記分割表示データを送信する分割表示データ送信手段とを有し、
前記各情報処理端末は、
それぞれ自己の前記端末識別情報を前記画面制御装置へ送信する送信手段と、
前記画面制御装置から送信される前記分割表示データを受信する受信手段と、
該受信手段によって受信した分割表示データを表示する表示手段とを有する
ことを特徴とする画面制御システム。
【請求項２】
請求項１に記載の画面制御システムにおいて、
前記複数台の情報処理端末のうちの少なくとも１台の情報処理端末の前記送信手段は、前記画面制御装置に対して、前記表示データと、前記端末数と、前記画面を構成する全ての情報処理端末の配置が完了した旨を送信する機能も有し、
前記画面制御装置の前記生成手段は、前記情報処理端末から前記情報処理端末の配置が完了した旨を受信した後に、前記分割表示データを生成する
ことを特徴とする画面制御システム。
【請求項３】
前記画面制御装置の前記保持手段は、前記情報処理端末から前記端末識別情報を受信したとき、該端末識別情報を持つ情報処理端末の前記画面における配置位置を決定し、該端末識別情報と該配置位置を示す情報とを対応させて登録する少なくとも一つの画面管理データを生成し、
前記各情報処理端末の前記送信手段は、前記端末識別情報の送信時に前記画面管理データへの前記端末識別情報の登録を要求する
ことを特徴とする請求項１又は２に記載の画面制御システム。
【請求項４】
前記送信手段は、前記保持手段が前記配置位置を決定すると、該配置位置と対応する前記端末識別情報を持つ情報処理端末に、該配置位置を示す情報を送信し、
前記表示手段は、前記受信手段が受信した前記画面制御装置から自己に送信された前記配置位置を示す情報を表示する
ことを特徴とする請求項３に記載の画面制御システム。
【請求項５】
前記複数台の情報処理端末はそれぞれ、タッチ入力部をパネル状の画面表示部と一体的に備え、該タッチ入力部からのタッチ入力データを前記画面制御装置へ送信するタッチ入力送信手段を有し、
前記画面制御装置は、タッチ入力受信手段と、該タッチ入力受信手段がいずれかの前記情報処理端末から受信したタッチ入力データに基づいて、前記表示データを書き換える手段とを有し、
該手段によって前記表示データが書き換えられたときには、前記生成手段は、該書き換えられた表示データを前記端末数に応じて分割して前記分割表示データを生成する
ことを特徴とする請求項１から４のいずれか一項に記載の画面制御システム。
【請求項６】
前記画面を構成する情報処理端末の台数が、ｎ２（ｎは２以上の整数）台であることを特徴とする請求項１から５のいずれか一項に記載の画面制御システム。
【請求項７】
複数台の情報処理端末を一つの画面を表示する画面表示装置として機能させるための画面制御装置であって、
前記複数台の情報処理端末を用いて表示するための表示データと、前記画面を構成する情報処理端末の台数を示す端末数と、その各情報処理端末を識別する端末識別情報と、該各情報処理端末の前記画面における配置位置を示す情報とを保持する保持手段と、
前記表示データを前記端末数に応じて分割した分割表示データを生成する生成手段と、
前記複数台の各情報処理端末に、それぞれ前記各配置位置に対応する前記分割表示データを送信する分割表示データ送信手段とを有する
ことを特徴とする画面制御装置。
【請求項８】
前記保持手段は、前記情報処理端末から前記端末識別情報を受信したとき、該端末識別情報を持つ情報処理端末の前記画面における配置位置を決定し、該端末識別情報と該配置位置を示す情報とを対応させて登録する少なくとも一つの画面管理データを生成する手段を有することを特徴とする請求項７に記載の画面制御装置。
【請求項９】
前記分割表示データ送信手段は、前記保持手段が前記配置位置を決定すると、該配置位置と対応する前記端末識別情報を持つ情報処理端末に、該配置位置を示す情報を送信する機能も有することを特徴とする請求項８に記載の画面制御装置。
【請求項１０】
前記情報処理端末からタッチ入力データが送信されるとそれを受信する手段と、該手段によって受信したタッチ入力データに基づいて、前記表示データを書き換える手段とを有し、
該手段によって前記表示データが書き換えられたときには、前記生成手段は、該書き換えられた表示データを前記端末数に応じて分割して前記分割表示データを生成することを特徴とする請求項７から９のいずれか一項に記載の画面制御装置。
【請求項１１】
画面制御装置と通信可能であり、複数台で一つの画面を表示する画面表示装置として機能する情報処理端末であって、
自己を識別させる端末識別情報を前記画面制御装置へ送信する送信手段と、
前記画面制御装置から送信される分割表示データを受信する受信手段と、
該受信手段によって受信した分割表示データを表示する表示手段とを有し、
前記分割表示データは、前記画面制御装置が保持する表示データを、情報処理端末の台数に応じて分割することによって生成された表示データであることを特徴とする情報処理端末。
【請求項１２】
請求項１１に記載の情報処理端末において、
前記画面制御装置から前記画面における自己の配置位置を示す情報を受信して、前記表示手段に表示させる手段を有することを特徴とする情報処理端末。
【請求項１３】
請求項１１又は１２に記載の情報処理端末において、
タッチ入力部をパネル状の画面表示部と一体的に備え、該タッチ入力部からのタッチ入力データを前記画面制御装置へ送信するタッチ入力送信手段を有することを特徴とする情報処理端末。
【請求項１４】
請求項１１から１３のいずれか一項に記載の情報処理端末において、
前記画面制御装置に対して、複数台の情報処理端末を用いて表示するための表示データを送信する手段と、前記画面を構成する情報処理端末の台数を示す端末数を送信する手段と、前記画面を構成する全ての情報処理端末の配置が完了した旨を送信する手段とを有することを特徴とするの情報処理端末。
【請求項１５】
複数台の情報処理端末を一つの画面を表示する画面表示装置として機能させるためのコンピュータを、
前記複数台の情報処理端末を用いて表示するための表示データと、前記画面を構成する情報処理端末の台数を示す端末数と、その各情報処理端末を識別する端末識別情報と、該各情報処理端末の前記画面における配置位置を示す情報とを保持する保持手段と、
前記表示データを前記端末数に応じて分割して分割表示データを生成する生成手段と、
前記複数台の各情報処理端末に、それぞれ前記各配置位置に対応する前記分割表示データを送信する分割表示データ送信手段として機能させるためのプログラム。
【請求項１６】
前記保持手段は、前記情報処理端末から端末識別情報を受信したとき、該端末識別情報を持つ情報処理端末の前記画面における配置位置を決定し、該端末識別情報と該配置位置を示す情報とを対応させて登録する少なくとも一つの画面管理データを生成する手段を有することを特徴とする請求項１５に記載のプログラム。
【請求項１７】
前記分割表示データ送信手段は、前記保持手段が前記配置位置を決定すると、該配置位置と対応する前記端末識別情報を持つ情報処理端末に、該配置位置を示す情報を送信する機能も有することを特徴とする請求項１５又は１６に記載のプログラム。
【請求項１８】
前記コンピュータを、前記情報処理端末からタッチ入力データが送信されるとそれを受信する手段と、該手段によって受信したタッチ入力データに基づいて、前記表示データを書き換える手段としても機能させ、
前記生成手段は、前記表示データが書き換えられたときには、該書き換えられた表示データを前記端末数に応じて分割して前記分割表示データを生成することを特徴とする請求項１５から１７のいずれか一項に記載のプログラム。
【請求項１９】
画面制御装置と通信可能であり複数台で一つの画面を表示する情報処理端末として機能するコンピュータを、
自己を識別させる端末識別情報を前記画面制御装置へ送信する送信手段と、
前記画面制御装置から送信される分割表示データを受信する受信手段と、
該受信手段が受信した分割表示データを表示する表示手段として機能させるためのプログラムであって、
前記分割表示データは、前記画面制御装置が保持する表示データを、前記一つの画面を構成する情報処理端末の台数に応じて分割することによって生成された表示データであることを特徴とするプログラム。
【請求項２０】
前記コンピュータを、
前記画面制御装置に対して、前記表示手段に表示させる表示データを送信する手段と、前記画面を構成する情報処理端末の台数を示す端末数を送信する手段と、前記画面を構成する全ての情報処理端末の配置が完了した旨を送信する手段としても機能させるための、請求項１９に記載のプログラム。
【請求項２１】
請求項１５から２０のいずれか一項に記載のプログラムを記録したコンピュータ読み取り可能な記録媒体。
【発明の詳細な説明】
【技術分野】
【０００１】
この発明は、画面制御システム、画面制御装置、情報処理端末、プログラム及び記録媒体に関する。
【背景技術】
【０００２】
従来から、ホワイトボードや、書き込みシート等の書き込み面に筆記用具を用いて書き込んだ手書きの情報を、専用のスキャナで読み取って専用のプリンタで記録紙に出力する電子黒板装置が知られている。
また、電子黒板の書き込み面にタッチパネルを配置して、手書きで書き込んだ情報をリアルタイムで入力できる電子黒板システムもある。
さらに、文字および画像を表示するための大型画面を有する表示装置と、その前面にタッチパネルを配設したタッチ入力装置とによって、電子黒板の表示面及び書き込み面を構成した電子黒板システムもある。
【０００３】
このような電子黒板システムでは、パーソナルコンピュータ（ＰＣ）で作成した資料を会議などで使用する際に、紙に印字せずにプロジェクタや投影型ディスプレイなどの大画面（スクリーンや表示パネル）に表示させて、多人数で共有することができる。また、大画面に情報を表示するだけでなく、表示された文字や画像に対し、その場で手書きの線や文字等を書き込むことができ、それを電子データとして合成して表示及び記憶させることも可能になる。
【０００４】
このような電子黒板システムは、会議、プレゼンテーション、教育等に広く利用されており、その使用効果が高く評価されているが、基本的には特定の会議室や教室などの固定した場所で使用することを前提としてシステムが構成されている。
そのため、電子黒板システムを構成する、表示装置、タッチ入力装置、パーソナルコンピュータ等による制御装置、プリンタ等の各装置の全てまたは一部が別体の装置として提供されていた。したがって、システムを構成する装置点数が多く、高価であり、広い設置スペースを必要としたり、移動及び設置が容易でない等の問題があった。
【０００５】
そこで、例えば特許文献１には、電子黒板システム全体の小型化及び一体化を図り、その操作性、取扱性、および利便性等を向上させることも提案されている。すなわち、この特許文献１に開示された電子黒板システムは、プラズマディスプレイパネルによる表示装置と表面弾性波を利用したタッチ入力装置とからなるボード部と、そのコントローラ部と、コンピュータやプリンタ等を収納した機器収納部とを、スタンドによって一体化した装置として構成している。
【０００６】
また、特許文献２には、複数の小型ディスプレイを接合させて、より大きな一つの表示画面を構成することも提案されている。
【発明の概要】
【発明が解決しようとする課題】
【０００７】
しかし、従来の電子黒板システムは、特許文献１に記載されたように、ボード部とコントローラ部及び機器収納部とを一体化したものでも、まだかなり大型な専用のシステムであるため高価であり、且つその設置や移動も必ずしも容易とは言えないという問題があった。
【０００８】
また、電子黒板の画面として特許文献２に記載されたように、複数の小型ディスプレイを接合させて一つの表示画面を構成することも考えられる。しかし、その場合、各ディスプレイ装置の表示領域の基準座標系に対する配置を位置センサ等で計測し、その各表示領域の形状を取得し、ユーザが意図した全体の表示領域の形状を推定する必要があり、位置センサ等の専用の装置が必要になるという問題があった。このような問題があるため、電子黒板システムは未だ広範な普及を図るには至っていないのが現状である。
【０００９】
この発明は、このような問題を解決するためになされたものであり、どこでも手軽に使用でき、設置や移動も簡単な画面制御システムを提供することを目的とする。
【課題を解決するための手段】
【００１０】
この発明による画面制御システムは上記の目的を達成するため、複数台の情報処理端末と、該複数台の情報処理端末を一つの画面を表示する画面表示装置として機能させるための画面制御装置とを備えた画面制御システムであって、
上記画面制御装置が、
上記複数台の情報処理端末を用いて表示するための表示データと、上記画面を構成する情報処理端末の台数を示す端末数と、その各情報処理端末を識別する端末識別情報と、該各情報処理端末の上記画面における配置位置を示す情報とを保持する保持手段と、
上記表示データを上記端末数に応じて分割した分割表示データを生成する生成手段と、
上記複数台の各情報処理端末に、それぞれ上前記各配置位置に対応する上記分割表示データを送信する分割表示データ送信手段とを有し、
上記各情報処理端末が、
それぞれ自己の上記端末識別情報を上記画面制御装置へ送信する送信手段と、
上記画面制御装置から送信される上記分割表示データを受信する受信手段と、
その受信手段によって受信した分割表示データを表示する表示手段とを有する。
【発明の効果】
【００１１】
この発明による画面制御システムでは、汎用の情報処理端末を複数台使用して、任意のサイズの画面を構成できるようにしたので、従来の電子黒板システムに対して手軽に使用でき、その設置や移動も簡単に行うことができる。
【図面の簡単な説明】
【００１２】
【図１】この発明による画面制御システムの一実施形態の概略構成を示すブロック図である。
【図２】この発明による画面制御システムの画面による表示例を説明するための図である。
【図３】画面を構成する情報処理端末の一例であるタブレットＰＣのハード構成例を示すブロック図である。
【図４】図１に示した画面制御システムの各部の機能構成を示す機能ブロック図である。
【図５】画面管理データの具体例を示す図である。
【図６】図４に示した画面制御システムにおける管理端末と画面制御サーバと画面を構成する情報処理端末の一例であるタブレットＰＣによるデータ及び指示の遣り取りと処理の流れを示すシーケンス図である。
【００１３】
【図７】画面を構成する情報処理端末の一例であるタブレットＰＣの配置位置情報の一例を示す図である。
【図８】画面を構成する情報処理端末の一例であるタブレットＰＣの配置位置情報の他の例を示す図である。
【図９】画面制御サーバにおける分割表示データを出力するための各部の動作を示すシーケンス図である。
【図１０】情報処理端末の一例であるタブレットＰＣのタッチ入力時に画面制御サーバにおいて表示データを編集するための各部の動作を示すシーケンス図である。
【００１４】
【図１１】図４に示した管理端末３による会議立ち上げ時の動作の流れを示すフローチャートである。
【図１２】図４に示した画面制御サーバ２による会議立ち上げ時の動作の流れを示すフローチャートである。
【図１３】図１２における「分割表示データ生成」のサブルーチンの処理を示すフローチャートである。
【図１４】図４に示したタブレットＰＣ１０による会議立ち上げ時の動作の流れを示すフローチャートである。
【図１５】タッチ入力時における画面制御サーバ２による動作の流れを示すフローチャートである。
【発明を実施するための形態】
【００１５】
以下、この発明を実施するための形態を図面に基づいて具体的に説明する。
先ず、この発明による画面制御システムの一実施形態の概要を図１及び図２によって説明する。図１はその画面制御システムの概略構成を示すブロック図であり、図２はその画面による表示例を説明するための図である。
【００１６】
図１に示す画面制御システムは、複数台の情報処理端末の一例である、各タブレットＰＣ１０によって構成される画面１と、それを制御する画面制御サーバ２及び管理端末３とを備えている。
画面１は、画面制御装置である画面制御サーバ２から送信される表示データを複数台のタブレットＰＣ１０によって一つの画面として表示する画面表示装置として機能する。また、いずれかのタブレットＰＣ１０にタッチ入力することによって、表示データに手書き追記を行うこともできる。
【００１７】
一つの会議について複数の画面１を設けることができ、その各画面１は使用するタブレットＰＣ１０の台数が異なってもよい。また、各画面１は画面制御サーバ２にネットワーク接続できれば遠隔地にあってもよい。この明細書中で「会議」とは、この画面制御システムを使用する説明会、プレゼンテーション、講義、講演会、発表会、打合せなど、タブレットＰＣ１０を用いて行われるあらゆる場合を含む意味で使用する。
画面１で利用者のタッチ入力により手書きの追記があった場合、その会議の表示データ２１１が修正され、同じ会議に属する全ての画面１にその変更が反映される。
【００１８】
画面制御サーバ２は、複数の会議を管理するために複数の会議データ２１を登録して保持することができる。その各会議データ（各会議ごとのデータを保持するまとまり）２１には、その会議で用いられる後述の表示データ２１１と、その会議に属する各画面１を管理するための一つ以上の画面管理データ（図４に示す）とを関連付けて保持する。同じ会議データ２１に属す複数の画面１には、通常は全て同じ表示データが表示されるが、本実施形態の処理（後述）によれば、情報処理端末の配置位置に応じた表示データが表示されることが可能となる。この画面制御サーバ２として、汎用のパーソナルコンピュータに画面制御サーバ用アプリケーション（プログラム）を搭載して使用することができる。
【００１９】
管理端末３は、画面制御サーバ２に対して表示データ２１１を送信して会議データ２１の作成を指示する。また、画面１を構成する端末数（各タブレットＰＣ１０の数）を送信して画面管理データの作成を指示する。この管理端末３は、汎用のパーソナルコンピュータや画面１を構成するタブレットＰＣ１０の内の１台に、管理端末用アプリケーションを搭載して実現することができる。この管理端末３は各画面１ごとに設けられる。
【００２０】
画面制御サーバ２と各画面１を構成する各タブレットＰＣ１０との間、及び管理端末３との間のデータや信号の送受信（通信）は、通常は無線ＬＡＮによって行われる。遠隔地の各画面１を構成する各タブレットＰＣ１０と画面制御サーバ２との間の通信の場合は、公衆電話回線やインタネットを介してもよい。
【００２１】
この発明による画面制御システムは、汎用のタブレットＰＣをはじめ、スマートフォンやスレートＰＣ等、汎用の各種のタブレット端末を含む情報処理端末を複数台（２台以上）組合せて、画面表示装置として機能する一つの大きな画面を構成し、電子黒板と同様な使用が可能な画面制御システムを実現することを特徴としている。
例えば、図２の（ｂ）に示す例は、４台のタブレットＰＣ１０を上下左右に配置して、一つの画面１を形成している。
そして、１台のタブレットＰＣ１０であれば図２の（ａ）に示すように表示する画像、この例では白黒反転した「特許」という文字画像を、４分割して縦横のサイズをそれぞれ２倍に拡大し、その各部を画面１を構成する各タブレットＰＣ１０にそれぞれ表示させることによって、同図の（ｂ）に示すように全体として白黒反転した「特許」を拡大して表示する。
【００２２】
タブレットＰＣは情報処理端末の一例であって、平板状の外形を有する携帯可能なタブレット型パーソナルコンピュータであり、パネル状の画面表示部とタッチ入力部を兼ねたタッチスクリーンを備えている。そのタッチスクリーンは、文字や図形等を表示する液晶表示パネルや有機ＥＬ表示パネルと、指で軽くタッチするだけで情報を入力したり選択したりできるタッチ入力パネルとを重ねて構成しているものが多い。入力装置としてキーボードを着脱可能なものもある。また、通信機能として無線ＬＡＮ機能を搭載している。
なお、タブレットＰＣの他、スマートフォンなどを用いて本実施形態の画面を構成することもできる。
【００２３】
画面1を構成する各タブレットＰＣ１０には、なるべく表示画面サイズが同じものを使用する。タブレットＰＣの表示画面は一般に長方形であるから、ｎ２（ｎは２以上の整数）台のタブレットＰＣによって画面を構成するのが望ましい。そうすると、各タブレットＰＣの表示画面を横長にして、横（左右）方向と縦（上下）方向にｎ台ずつ配置すれば、横長で長方形の画面を構成することができる。
【００２４】
ここで、タブレットＰＣ１０のハード構成例を図３によって簡単に説明する。
このタブレットＰＣ１０は、ＣＰＵ１１とＲＯＭ１２及びＲＡＭ１３等がＣＰＵバス１９によって互いに信号及びデータの遣り取り可能に接続されて、マイクロコンピュータを構成している。そして、そのＣＰＵバス１９とＩ／Ｏポート１４を介して接続したタッチスクリーン１８を備えている。
【００２５】
このタッチスクリーン１８は、前述したように、液晶表示パネルや有機ＥＬ表示パネル等によるディスプレイとタッチ入力パネルとを重ねて構成され、画面表示部とタッチ入力部を兼ね備えた表示・入力装置である。
さらに、無線ＬＡＮによる送受信を行う通信インタフェース（Ｉ／Ｆ）１５、大容量記憶装置であるハードディスクドライブ（ＨＤＤ)１６、ＵＳＢメモリや着脱式キーボードあるいはポインティングデバイスなどを装着できるＵＳＢポート１７なども備えている。ＨＤＤ１６に代えて、記憶容量の大きい半導体メモリを搭載したものもある。
【００２６】
図１における管理端末３も、画面１を構成するこのような構成のタブレットＰＣ１０のいずれか１台を兼用することができる。あるいはこのタブレットＰＣ１０と同様な構成で、タッチスクリーン１８の代わりに、画面表示用ディスプレイと入力用キーボードを別に備えた汎用のパーソナルコンピュータを使用してもよい。
画面制御装置である画面制御サーバ２も、同様な構成の汎用のパーソナルコンピュータを使用することができる。
【００２７】
次に、図４に示す機能ブロック図によって、図１に示した画面制御システムの各部の機能構成について説明する。なお、図４では、図１における画面１を構成するタブレットＰＣ１０を１台だけ示しているが、実際には各会議に使用する各画面１ごとにそれぞれ複数台のタブレットＰＣ１０で構成され、それらの各タブレットＰＣ１０が無線ＬＡＮによって画面制御サーバ２と通信可能に接続される。それらの各タブレットＰＣ１０の機能は同じであるから、代表して１台だけを示している。
【００２８】
タブレットＰＣ１０は、図３に示したタッチスクリーン１８による画面表示部１８１とタッチ入力部１８２を備え、図３に示したＣＰＵ１１，ＲＯＭ１２，ＲＡＭ１３等からなるマイクロコンピュータによって、画面制御アプリケーション１１０の処理を実行することによってその各機能を実現して、図１に示した画面１の一部としての役目を果す。
【００２９】
画面制御アプリケーション１１０は、画面制御サーバ２の会議データ２１に自己のタブレットＰＣ１０を識別させる端末識別情報である端末ＩＤを、画面制御サーバ２へ送信して画面１を構成するものとして登録させ、画面１内の配置位置を求める登録要求部１１１、タッチ入力部１８２で検出したタッチ入力データを画面制御サーバ２へ送信するタッチ入力送信部１１２、および画面制御サーバ２から送信される分割表示データを受信して画面表示部１８１に表示させる受信部１１３の各機能を有する。
【００３０】
この実施形態においては、登録要求部１１１が、自己のタブレットＰＣを識別させるための端末識別情報である端末ＩＤを画面制御サーバ２へ送信する送信手段の機能、さらにはその端末ＩＤの送信時に画面管理データ２１２への登録を要求する機能も有する。また、受信部１１３が、画面制御サーバ２から送信される分割表示データを受信する受信手段の機能を、画面表示部１８１が、その受信した分割表示データを表示する表示手段の機能を果す。さらに、タッチ入力送信部１１２が、タッチ入力部１８２からのタッチ入力データを画面制御サーバ２へ送信するタッチ入力送信手段の機能を有する。
【００３１】
管理端末３は、画面制御サーバ２に表示データを送信して会議データの作成を要求する会議データ作成要求部３１と、画面制御サーバ２に画面を構成する端末数（タブレットＰＣ１０の数）を送信して画面管理データ２１２の作成を要求する画面管理データ作成要求部３２の機能を有する。さらに、画面制御サーバ２から通知される画面ＩＤを受信して表示する画面ＩＤ受信・表示部３３の機能も有する。
【００３２】
この実施形態では、会議データ作成要求部３１が表示データを画面制御サーバ２へ送信する送信手段として、画面管理データ作成要求部３２が画面を構成する端末数を画面制御サーバ２へ送信する手段として機能する。また、図４には示していないが、後述するように、画面を構成する全てのタブレットＰＣの配置が完了した旨を画面制御サーバ２に送信する手段としての機能も有する。
なお、一つの会議で使用する画面が一つだけの場合には、画面を識別するための画面ＩＤは不要になるので、画面ＩＤ受信・表示部３３を省略することができる。
【００３３】
これらの機能は、画面１を構成するタブレットＰＣ１０のうちの少なくとも１台あるいは汎用のパーソナルコンピュータによって、管理端末アプリケーションの処理を実行することによって実現される。タブレットＰＣ１０のうちの少なくとも１台がこれらの機能も持つ場合は、そのタブレットＰＣ１０における前述した登録要求部１１１による送信手段が、画面制御サーバ２に対して、前述した表示データと、端末数と、画面１を構成する全てのタブレットＰＣ１０の配置が完了した旨を送信する機能も有することになる。
【００３４】
そして、この管理端末３は各画面１を構成する場所に１台ずつ置くが、一つの会議に複数の画面１を使用する場合は、会議データ作成要求部３１は、各画面１に対応する複数の管理端末３のうちの１台だけに有していればよい。
また、小規模な画面制御システムで、画面１を設置する場所と同じ室内に画面制御サーバ２も設置する場合には、画面制御サーバ２にこの管理端末３と同様な機能も持たせて、それを兼ねさせることができるため、管理端末３を省略することができる。
【００３５】
画面制御サーバ２は、会議管理部２２によって一つ以上の会議データ２１を作成して、それを管理する。その各会議データ２１は１つの会議ごとに作成し、複数持つことができる。各会議データ２１は、１つの表示データ２１１と１つ以上の画面管理データ２１２を有する。
画面管理データ２１２は、画面ＩＤ、画面に登録されているタブレットＰＣの数を示す端末数、登録タブレットＰＣを識別するための識別情報である端末ＩＤ、その各タブレットＰＣの画面における配置位置を示すデータから構成され、画面管理部２４によって管理される。
この各会議データ２１は、図３に示したＨＤＤ１６又はそれに変わるような大容量メモリに保持することができる。
【００３６】
この実施形態では、会議管理部２２が会議データ２１の表示データ２１１を、画面管理部２４が画面管理データ２１２を管理しており、これにより、複数台のタブレットＰＣ１０を用いて表示するための表示データと、画面を構成するタブレットＰＣの台数を示す端末数と、その各タブレットＰＣを識別する端末ＩＤと該各タブレットＰＣの画面における配置位置を示す情報とを保持する保持手段としての機能を果たす。
また、タブレットＰＣ１０から端末ＩＤを受信したとき、その端末ＩＤを持つタブレットＰＣ１０の画面における配置位置を決定し、その端末ＩＤと配置位置を示す情報とを対応させて登録する少なくとも一つの画面管理データ２１２を生成する機能も果たす。
【００３７】
ここで、図５に、画面管理データ２１２の具体例を示す。
図５（ａ）に示すのは、図２（ａ）のように、４台のタブレットＰＣを縦横２×２に配置して１つの画面を構成する場合の例である。この場合、表示に必要な台数が登録された状態では、端末数は４であり、それぞれ異なる端末ＩＤを持つ４台の各端末が、左上、左下、右上、右下の４つの配置位置に１台ずつ配置されることを示す配置情報が登録される。
図５（ｂ）に示すのは、９台のタブレットＰＣを縦横３×３に配置して１つの画面を構成する場合の例である（図８参照）。この場合、表示に必要な台数が登録された状態では、端末数は９であり、それぞれ異なる端末ＩＤを持つ９台の各端末が、最下段左端、最下段左中央、・・・、最上段右端の９つの配置位置に１台ずつ配置されることを示す配置情報が登録される。
なお、配置位置については、番号や記号等の識別情報で示しても構わない。また、必ずしも図５に示した順序で登録しなくても構わない。また、端末ＩＤは端末の識別情報であるから、連番になっている必要はない。
【００３８】
その他に、分割表示データを生成する分割表示データ生成部２３、生成された分割表示データを各タブレットＰＣ１０へ送信する送信部２５、各タブレットＰＣ１０から送信されるタッチ入力データを受信するタッチ入力受信部２６、およびタッチ入力データによって修正した全体画像の表示データを生成する全体表示データ生成部２７も有する。それらの詳細は、シーケンス図を用いて後述する。
【００３９】
この実施形態においては、分割表示データ生成部２３が、全体画像の表示データを端末数に応じて分割して各分割表示データを生成する生成手段であり、送信部２５が、複数台の各タブレットＰＣ１０に、それぞれ各配置位置に対応する分割表示データを送信する分割表示データ送信手段である。
さらに、タッチ入力受信部２６が、いずれかのタブレットＰＣ１０からタッチ入力データが送信されるとそれを受信するタッチ入力受信手段であり、全体表示データ生成部２７が、タッチ入力受信部２６によって受信したタッチ入力データに基づいて、表示データ２１１による全体画像の表示データを修正して表示データ２１１を書き換える手段である。
【００４０】
表示データ２１１が書き換えられたときには、分割表示データ生成部２３は、その書き換えられた全体画像の表示データを端末数に応じて分割して、各分割表示データを生成する。
これらの各部の機能も、汎用のパーソナルコンピュータが画面制御サーバ用アプリケーション（プログラム）の処理を実行することによって実現される。
【００４１】
この図４に示した画面制御システムにおける管理端末３と画面制御サーバ２と画面１を構成するタブレットＰＣ１０によるデータ及び指示の遣り取りと処理の流れを、図６に示すシーケンス図によって説明する。
【００４２】
まず、管理端末３から画面制御サーバ２に対し、会議データ作成要求をする。このとき、管理端末３は、画面制御サーバ２に全体画像の表示データを送信する。その際さらに、会議名や、会議の開始及び終了予定時刻等のデータも送信するとよい。
画面制御サーバ２は、管理端末３から会議データの作成要求を受け、全体画像の表示データを受信すると、会議の名称又はＩＤを付け、その会議に関する表示データと画面管理データとを保持する会議データを生成する。しかし、このときは表示データ２１１のみを保持し、画面管理データの内容はまだない。この会議データの生成が完了すると会議データ生成完了を管理端末３に通知する。
【００４３】
次に、管理端末３から画面制御サーバ２に対し、画面管理データ作成要求をする。このとき、画面１を構成する端末数（画面１を構成するタブレットＰＣ１０の台数）を通知する。画面制御サーバ２はそれを受けて画面管理データ２１２を生成し、それに画面１を識別するための画面ＩＤを付与して受信した端末数を記憶し、その画面ＩＤを管理端末３へ通知する。
【００４４】
一つの会議に複数の画面管理データ２１２を作成し、複数の画面１を管理することができるので、その各画面１を識別するために画面ＩＤが必要になる。
この画面ＩＤは、例えば、会議Ａの第１の画面には「Ａ０１」、第２の画面には「Ａ０２」、会議Ｂの第１の画面には「Ｂ０１」、第２の画面には「Ｂ０２」のようにする。
【００４５】
管理端末３は、画面制御サーバ２から画面ＩＤが通知されると、それを受信して自己の表示部（ディスプレイ）にその画面ＩＤを表示して、画面の管理者あるいは各タブレットＰＣ１０の使用者に画面ＩＤを知らせる。
それによって、画面の管理者がその画面ＩＤを各タブレットＰＣ１０の使用者に知らせるか、各タブレットＰＣ１０の使用者が直接管理端末３の表示を見て画面ＩＤを知る。
【００４６】
その後、各タブレットＰＣ１０の使用者は、順次自己のタブレットＰＣ１０にその画面ＩＤを入力して画面制御サーバ２への登録要求を指示すると、そのタブレットＰＣ１０は、自己の端末ＩＤに入力された画面ＩＤを付加して、「端末ＩＤ＋画面ＩＤ」の情報を画面制御サーバ２へ送信して端末登録を要求する。
【００４７】
画面制御サーバ２は、「端末ＩＤ＋画面ＩＤ」の情報を受信すると、その端末ＩＤで識別される端末の配置位置を登録順に決定して、図４に示すように、その画面ＩＤに対応する画面管理データ２１２に、端末ＩＤとその配置位置とを対応させて記憶させる端末登録処理をする。そして、決定した配置位置の情報をその端末ＩＤのタブレットＰＣ１０に送信する。
なお、図４に示した画面制御サーバ２の保持手段における画面管理部２４が、上記配置位置を決定し、分割表示データ送信手段である送信部２５が、その配置位置と対応する端末ＩＤを持つタブレットＰＣ１０に、その配置位置を示す情報を送信する機能も有する。
【００４８】
その配置位置の情報を図４に示した受信部１１３で受信したタブレットＰＣ１０は、それを画面表示部１８１に表示する。そのタブレットＰＣ１０の使用者又は他の者がその表示を見て、その表示によって指定された配置位置にそのタブレットＰＣ１０を配置する。
このタブレットＰＣ１０と画面制御サーバ２による端末登録処理と配置位置に関する遣り取りと処理、人手によるタブレットＰＣ１０の配置を、画面を構成する全てのタブレットＰＣの登録と配置が完了するまで順次行う。
【００４９】
所定台数のタブレットＰＣ１０の配置が完了し、図１に示したような画面１が完成すると、管理端末３の管理者がそれを確認して管理端末３に配置完了を入力する。それによって、管理端末３は画面制御サーバ２に配置完了を通知する。
画面制御サーバ２はその通知を受けると、全体画像の表示データから、画面を構成する端末数に応じた分割表示データを生成し、その各分割表示データを対応する各タブレットＰＣ１０へそれぞれ送信する。
それを受信した各タブレットＰＣ１０は、図４に示した画面表示部１８１に、それぞれ受信した分割表示データを表示する。それによって、図１に示した全体画面を表示することが可能となる。
【００５０】
ここで、上述した配置位置情報について図７及び図８に示す例によって説明する。
図７は、４台のタブレットＰＣによって画面を構成する場合の配置位置情報の例である。この例では、画面を示す長方形のエリア全体を４分割した１／４ずつの各エリアを各タブレットＰＣの配置位置とし、それを登録順に左上から右下に向かって１〜４の各数値で表わし、該当するタブレットＰＣの位置のエリアを色（図では網点）を付けて示す。この例は２番目に登録したタブレットＰＣの配置位置２を示している。
【００５１】
図８は、９台のタブレットＰＣによって画面を構成する場合の配置位置情報の例である。この例では、画面を示す長方形のエリア全体を９分割した１／９ずつの各エリアを各タブレットＰＣの配置位置とし、それを登録順に左上から右下に向かって１〜９の各数値で表わし、該当するタブレットＰＣの位置のエリアを色（図では網点）を付けて示す。この例は５番目に登録したタブレットＰＣの配置位置５を示している。
【００５２】
画面制御サーバ２は、タブレットＰＣ１０から「端末ＩＤ＋画面ＩＤ」の情報を受信して前述した端末登録処理を行ったとき、端末ＩＤに対して決定した配置位置に応じて、図７又は図８に示したような配置位置を示す画像を生成し、その画像データを配置位置情報として、端末ＩＤを送信してきたタブレットＰＣ１０へ送信する。
それを受信したタブレットＰＣ１０は、その配置位置情報によって、図７又は図８に示したような画像を表示して、そのタブレットＰＣ１０の管理者にその配置すべき位置を知らせる。
【００５３】
なお、画面を構成する各タブレットＰＣを図７又は図８に示すような配置位置情報によって指定された位置へ配置し易いように、画面設置場所に、タブレットＰＣ１台分ずつの大きさに仕切った枠状のスタンドを設置してもよい。
【００５４】
次に、図４に示した画面制御サーバ２における会議管理部２２、分割表示データ生成部２３、画面管理部２４及び送信部２５により、分割表示データを出力するためのシーケンス動作について、図９のシーケンス図によって説明する。
まず、会議管理部２２が分割表示データ生成部２３に実行する会議データに係る全体画像の表示データを送り、分割表示データ作成を要求する。
【００５５】
分割表示データ生成部２３は、その要求を受けると、画面管理部２４に画面管理データを要求する。画面管理部２４は画面管理データ２１２の端末数とその各端末ＩＤを分割表示データ生成部２３へ返信する。分割表示データ生成部２３はそれを取得すると、全体画像の表示データを端末数に応じて分割して分割表示データを生成する。そして、生成した各分割表示データとそれに対応する各端末ＩＤを送信部２５へ送り、送信を要求する。
送信部２５は、送信を要求されると共に各分割表示データと対応する各端末ＩＤを受信すると、各端末ＩＤが示す各タブレットＰＣ１０に対応する分割表示データを送信する。
【００５６】
図９には示していないが、各タブレットＰＣ１０は、図４に示した受信部１１３によって自己の分割表示データを受信して、画面表示部１８１（図３に示したタッチスクリーン１８）によってその分割表示データを表示する。
一つの会議に複数の画面が使用される場合は、同じ会議データ２１に複数の画面管理データ２１２が設定されているので、画面管理部２４は、各画面管理データ２１２の画面ＩＤとその端末数及び各端末ＩＤを、順次分割表示データ生成部２３へ返信する。
【００５７】
それによって、分割表示データ生成部２３は、各画面ＩＤについて、順次端末数に応じた分割表示データを生成し、その各分割表示データとそれに対応する各端末ＩＤを送信部２５へ送り、送信を要求する。
送信部２５は、その各画面ＩＤ毎に、分割表示データと対応する各端末ＩＤとを受信すると、その画面ＩＤが示す各タブレットＰＣ１０に対応する分割表示データを送信する。
【００５８】
管理端末３から表示画面の切替指示があった場合や、画面１を構成するタブレットＰＣ１０からタッチ入力による全体画像の表示データの修正があった場合、画面１を構成するタブレットＰＣ１０の数に追加や減少が発生した場合などにも、画面制御サーバ２は上述したシーケンス動作を実行する。そして、その都度分割表示データを生成し直し、その分割し直した各分割表示データを、対応する各タブレットＰＣ１０に送る。
それによって、各タブレットＰＣ１０はそれぞれ配置位置に応じた分割表示データを表示し、それらによって構成される画面１は、全体として新たな表示データ又は修正後の表示データを表示する。
【００５９】
次に、タブレットＰＣ１０のタッチ入力時に画面制御サーバ２において全体画像の表示データを編集するための各部のシーケンス動作を、図１０のシーケンス図によって説明する。
タブレットＰＣ１０のタッチ入力部１８２（図３に示したタッチスクリーン１８）にタッチ入力があると、タブレットＰＣ１０は、タッチ入力送信部１１２から端末ＩＤと入力データを画面制御サーバ２のタッチ入力受信部２６へ送信する。
【００６０】
タッチ入力受信部２６は画面管理部２４にその端末ＩＤを送り、その端末ＩＤに対する配置位置の情報を要求する。それによって画面管理部２４がその入力データを送信したタブレットＰＣ１０の配置位置を算出して、その配置位置の情報をタッチ入力受信部２６へ返す。タッチ入力受信部２６は配置位置の情報を取得すると、その配置位置の情報と入力データを全体表示データ生成部２７に送り、全体画像の表示データの修正を要求する。
【００６１】
全体表示データ生成部２７は、受け取った配置位置の情報から全体画像の表示データ内の画像修正座標を算出し、全体画像の表示データを修正して差替え後の表示データを生成する。そして、その差し替え後の表示データを会議管理部２２へ送って会議の表示データの書き換えを要求する。
会議管理部２２は、その書き換え要求に応じて、差替え後の表示データによって会議データの表示データ（全体画像の表示データ）を書き換える。
このように全体画像の表示データが書き換えられたときには、生成手段である分割表示データ生成部２３は、その書き換えられた表示データを端末数に応じて分割して、分割表示データを生成し直す。
【００６２】
ここで、図４に示した管理端末３、画面制御サーバ２、およびタブレットＰＣ１０による主な動作の流れを、図１１〜図１５のフローチャートによって説明する。これらの図においては、いずれも「ステップ」を「Ｓ」と略記しており、以下の説明でも同様に「ステップ」を「Ｓ」と略称する。
【００６３】
先ず、管理端末３による会議立ち上げ時の動作の流れを図１１によって説明する。
管理端末３が動作を開始すると、Ｓ１で画面制御サーバ２に会議データの作成を要求し、会議に使用する表示データを送信する。その表示データは、例えば予め他のＰＣで作成されて転送されるか、ＵＳＢメモリ等の記憶媒体に記憶された表示データを読み込むなどによって準備しておく。
【００６４】
その後、Ｓ２で画面制御サーバ２から会議データ生成完了の通知があるまで待ち、その通知があったらＳ３へ進み、画面制御サーバ２に画面管理データの作成を要求し、画面を構成する端末数（タブレットＰＣの台数）を送信する。その端末数は予め管理者によって入力される。
【００６５】
その後、Ｓ４で画面制御サーバ２から画面を識別するための画面ＩＤを受信するのを待つ。そして、画面ＩＤを受信すると、Ｓ５でその画面ＩＤを表示部（ディスプレイ）に表示する。
その表示された画面ＩＤを管理者が見て、自分であるいは各タブレットＰＣの管理者にその画面ＩＤを知らせて、画面を構成する各タブレットＰＣ１０の画面制御サーバ２への登録と、画面制御サーバ２から配置位置情報に基づいて各タブレットＰＣ１０が配置位置に配置され、管理者が配置の完了を確認した後、配置完了の入力がなされるのをＳ６で待つ。
【００６６】
Ｓ６で配置完了の入力があったと判断するとＳ７へ進み、画面制御サーバ２に画面を構成するタブレットＰＣの配置完了を通知する。
この一連の動作は、図６で説明したシーケンス動作における管理端末３の動作に対応している。
その後は、必要に応じて画面制御サーバ２に対して表示データ（画面）の切り換えを指示したり、会議の終了を通知するなどの動作を行うことができる。
【００６７】
このような一連の処理を実行するためのプログラムを、管理端末用アプリケーションプログラムとして作成することができる。そのプログラムを汎用のパーソナルコンピュータやタブレットＰＣに外部からネットワークを介してダウンロードしたり、そのプログラムを記録した記録媒体から読み込んでインストールすることによって、管理端末として使用することができる。
この管理端末用アプリケーションプログラムを、画面制御サーバとして使用するパーソナルコンピュータにインストールすれば、それに管理端末の機能を兼ねさせることもできる。
【００６８】
次に、画面制御サーバ２による会議立ち上げ時の動作の流れを図１２及び図１３によって説明する。
画面制御サーバ２が動作を開始すると、図１２におけるＳ１１で管理端末３から会議データの作成要求と表示データを受信するのを待つ。それらを受信すると、Ｓ１２で会議データを生成した後、Ｓ１３で管理端末３へ会議データの生成完了を通知する。
そして、Ｓ１４で管理端末３から画面管理データ作成要求と端末数を受信するのを待つ。それらを受信すると、Ｓ１５で受信した端末数を記憶し、画面管理データを生成した後、Ｓ１６で管理端末３へ画面を識別するための画面ＩＤを送信する。
【００６９】
その後、Ｓ１７でタブレットＰＣ１０から「端末ＩＤ＋画面ＩＤ」を受信するのを待つ。それを受信すると、Ｓ１８で端末ＩＤで識別される端末の配置位置を登録順に決定して、図４に示したように、その画面ＩＤに対応する画面管理データ２１２に、端末ＩＤとその配置位置とを対応させて記憶させる端末登録処理をして、タブレットＰＣ１０へその配置情報を送信する。
【００７０】
そして、Ｓ１９で端末登録処理をした端末数をカウント（カウント値を＋１する）し、Ｓ２０で管理端末３から配置完了の通知を受信したか否かを判断する。配置完了の通知を受信していればＳ２２へ進むが、受信していなければＳ２１へ進んで、カウントした端末数（カウント値）が記憶数（記憶している端末数）と同じになったか否かを判断する。
【００７１】
その結果、カウントした端末数が記憶数と同じになったと判断するとＳ２２へ進むが、同じになっていないと判断するとＳ１７へ戻って、次のタブレットＰＣ１０から「端末ＩＤ＋画面ＩＤ」を受信するのを待つ。そして、Ｓ２０で配置完了の通知を受信したと判断するか、Ｓ２１で端末数が記憶数と同じになったと判断するまで、Ｓ１７からＳ２１の処理を繰り返して、画面を構成する全てのタブレットＰＣ１０の登録処理を行って、その各配置位置を通知する。
【００７２】
Ｓ２０で配置完了の通知を受信したと判断するか、Ｓ２１でカウントした端末数が記憶数と同じになったと判断すると、全てのタブレットＰＣ１０の登録処理が完了したので、Ｓ２２で分割表示データを生成して、Ｓ２３で各タブレットＰＣ１０に対応する分割表示データを送信する。
この一連の動作は、図６で説明したシーケンス動作における画面制御サーバ２の動作に対応している。その後は、図１５によって説明するタッチ入力時の処理などを行う。
【００７３】
Ｓ２２の分割表示データ生成のサブルーチンでは、図１３に示すように、Ｓ２２１で全体画像の表示データと画面管理データの端末数とにより、画面を構成する端末数に応じて全体画像の表示データを分割し、各タブレットＰＣ１０に分割表示するための分割表示データを生成する。そして、Ｓ２２２で各分割表示データとその表示位置（＝配置位置）の各端末ＩＤとを対応させる。
【００７４】
このような一連の処理、あるいはさらに図１５によって説明するタッチ入力時の処理も実行するためのプログラムを、画面制御サーバ用アプリケーションプログラムとして作成することができる。そのプログラムを、汎用のパーソナルコンピュータ等に外部からネットワークを介してダウンロードしたり、そのプログラムを記録した記録媒体から読み込んでインストールすることによって、画面制御サーバとして使用することができる。
【００７５】
次に、タブレットＰＣ１０による会議立ち上げ時の動作の流れを図１４によって説明する。
タブレットＰＣ１０が動作を開始すると、Ｓ３１で画面ＩＤが入力されるのを待つ。これは、画面制御サーバ２から管理端末３に画面ＩＤが通知されると、管理端末３がその画面ＩＤを表示するので、管理者がそれを見てこれから作成する画面の画面ＩＤを知り、タブレットＰＣ１０をその画面を構成する端末として登録するために、タブレットＰＣ１０にその画面ＩＤを入力するのを待つことである。
【００７６】
画面ＩＤが入力されると、Ｓ３１からＳ３２へ進み、予め設定されている自己の端末ＩＤに入力された画面ＩＤを付加して「端末ＩＤ＋画面ＩＤ」を画面制御サーバ２へ送信する。
そして、Ｓ３３で画面制御サーバ２から配置位置情報を受信するのを待つ。配置位置情報を受信すると、Ｓ３４でその配置位置情報を図７又は図８に示したように画面表示部１８１（図３に示したタッチスクリーン１８）に表示する。それによって、このタブレットＰＣ１０を管理者が画面を構成する所定の配置位置へ配置することができる。
【００７７】
その後、Ｓ３５で画面制御サーバ２から分割表示データを受信するのを待つ。分割表示データを受信すると、Ｓ３６でその分割表示データを画面表示部１８１（図３に示したタッチスクリーン１８）に表示する。
図１に示した画面１を構成する各タブレットＰＣ１０がそれぞれ対応する分割表示データを表示することによって、画面１は全体として一つの全体画像の表示データを表示することができる。
この一連の動作は、図６で説明したシーケンス動作におけるタブレットＰＣ１０の動作に対応している。
【００７８】
このような一連の処理を実行するためのプログラムを、図４に示した画面制御アプリケーション１１０のプログラムとして作成することができる。そのプログラムを、汎用のタブレットＰＣに外部からネットワークを介してダウンロードしたり、そのプログラムを記録した記録媒体から読み込んでインストールすることによって、画面を構成するタブレットＰＣとして使用することができる。
【００７９】
最後に、タッチ入力時における画面制御サーバ２による動作の流れを図１５によって説明する。
先ずＳ４１で、タブレットＰＣ１０から入力データの受信があるのを待つ。そして、入力データの受信があると、Ｓ４２でタッチ入力受信部２６が端末ＩＤと入力データを受信して保持する。
【００８０】
その後、Ｓ４３で画面管理部２４が端末ＩＤにより入力データの配置位置を算出する。そして、Ｓ４４で全体表示データ生成部２７が、配置位置のデータと入力データによって全体画像の表示データを修正する。さらに、Ｓ４５で修正した全体画像の表示データから差し替え後の表示データを生成する。そして、Ｓ４６で会議管理部２２がその差し替え後の表示データにより、会議データの表示データ（全体画像の表示データ）を書き換える。
【００８１】
その後、Ｓ４７で分割表示データ生成部２３が、書き換え後の全体画像の表示データと画面管理データ及び各端末ＩＤにより、端末数に応じた分割表示データを生成する。
そして、Ｓ４８で送信部２５が、画面を構成する各タブレットＰＣに対応する分割表示データを送信する。
【００８２】
その後、Ｓ４９で終了か否かを判断し、終了でなければＳ４１へ戻ってタブレットＰＣ１０からの入力データの受信を待ち、入力データを受信すれば上述した動作を繰り返す。Ｓ４９で終了と判断すれば、この処理を終了する。
この一連の動作は、画面制御サーバ２が図９と図１０で説明したシーケンス動作を続けて実行した場合の動作に対応している。
【００８３】
上述した各アプリケーションプログラムを記録するコンピュータ読み取り可能な記録媒体としては、フレキシブルディスク、ＣＤ−ＲＯＭ、ＭＯ、メモリカード、ＵＳＢメモリ等、種々の記憶媒体を使用することができる。
このように構成したこの発明による画面制御システムは、タブレットＰＣのような汎用の情報処理端末を複数台用いて一つの大きな画面を構成するので、どこでも簡単に従来の電子黒板システムと同様に使用することが可能であり、その設置や移動も簡単に行うことができる。
【００８４】
また、この発明は上述した実施形態に限られるものではなく、特許請求の範囲の各請求項に規定する内容の範囲において、適宜の構成を追加又は変更したり省略することができる。
例えば、上述した画面制御サーバ２の機能を、いずれかのタブレットＰＣ１０に設けてもよい。この場合、画面制御サーバ２の機能を備えるタブレットＰＣ１０が、図７及び図８に示したような、複数台協働しての全体画像の表示に参加してもよいことはもちろんである。送信部２５による分割表示データの送信先が自分自身となる場合には、当該送信は、画面制御サーバ２の機能を実現するプロセスと、タブレットＰＣ１０、特に画面制御アプリケーション１１０の機能を実現するプロセスとの間の、プロセス間通信で行えばよい。
【００８５】
また、画面制御サーバ２の機能は、複数の装置に分散して設け、それらが協働して画面制御サーバ２として機能するようにしてもよい。この場合、当該複数の装置のうち１又は複数が、タブレットＰＣ１０であってもよい。
また、以上説明してきた各実施形態及び変形例の構成あるいは機能は、相互に矛盾しない限り適宜に組み合わせて実施することもできる。
【符号の説明】
【００８６】
１：画面    ２：画面制御サーバ    ３：管理端末
１０：タブレットＰＣ    １８：タッチスクリーン    ２１：会議データ
２２：会議管理部    ２３：分割表示データ生成部    ２４：画面管理部
２５：送信部    ２６：タッチ入力受信部    ２７：全体表示データ生成部
３１：会議データ作成要求部    ３２：画面管理データ作成要求部
３３：画面ＩＤ受信・表示部
１１０：画面制御アプリケーション    １１１：登録要求部
１１２：タッチ入力送信部    １１３：受信部
１８１：画面表示部    １８２：タッチ入力部
２１１：表示データ    ２１２：画面管理データ
【先行技術文献】
【特許文献】
【００８７】
【特許文献１】特開２０００−０４３４８４号公報
【特許文献２】特開２００９−２８８４５３号公報
【図１】
2014178659.tif 000003
【図２】
2014178659.tif 000004
【図３】
2014178659.tif 000005
【図４】
2014178659.tif 000006
【図５】
2014178659.tif 000007
【図６】
2014178659.tif 000008
【図７】
2014178659.tif 000009
【図８】
2014178659.tif 000010
【図９】
2014178659.tif 000011
【図１０】
2014178659.tif 000012
【図１１】
2014178659.tif 000013
【図１２】
2014178659.tif 000014
【図１３】
2014178659.tif 000015
【図１４】
2014178659.tif 000016
【図１５】
2014178659.tif 000017